(57)【要約】  携帯型コンピュータ装置との電子通信のためのポートを有する装置本体を備え、尿へ挿入してサンプルを回収するための試験片を保持する尿検査装置。尿サンプルを取り、ポートを通じて携帯型コンピュータ装置に尿検査装置を電子的に連結し、生データを尿検査装置内の試験片から得て、生データを携帯型コンピュータ装置へと送り、さらに生データを分析することで、携帯型コンピュータ装置で尿検査装置を使用する方法。電力を認識して尿検査装置へと提供するための電力提供機構と、生データを尿検査装置から受け取るためのデータ受取機構と、尿検査装置からの生データを結果へと変換および修正するためのデータ修正機構と、報告フォームに結果を追加するための報告機構とを備える、尿検査装置と使用するためのアプリケーションおよび方法。【選択図】図１
2018512587.tif 000002
【特許請求の範囲】
【請求項１】
携帯型コンピュータ装置との電子通信のためのポートを有する装置本体を備え、尿へ挿入してサンプルを回収するための試験片を保持する尿検査装置。
【請求項２】
前記試験片は保持器に収容され、前記保持器は前記装置本体にしっかりと受け入れられる、請求項１に記載の尿検査装置。
【請求項３】
前記試験片は少なくとも１つの試験パッド部を含む、請求項２に記載の尿検査装置。
【請求項４】
前記少なくとも１つの試験パッド部は、炎症監視試験、酸化ストレス監視試験、抗酸化活性監視試験、およびそれらの組み合わせから成る群から選択される少なくとも１つの試験を含む、請求項３に記載の尿検査装置。
【請求項５】
前記少なくとも１つの試験パッド部は、ＴＮＦ−α、ＩＬ−６、ＩＬ−８、オステオポンチン、オロソムコイド、アルブミン、α１−ミクログロブリン、ＰＧＥ２、ＰＧＦ２α、酸化窒素、硝酸塩および酸化窒素（ＮＯｘ）に由来する硝酸塩、ヒスタミン、尿タンパク質、タンパク質カルボニル、チオバルビツール酸反応性物質（ＴＢＡＲＳ）、マロンアルデヒド、４−ヒドロキシノネナール、脂質ヒドロペルオキシド、イソタンパク質、リノール酸酸化生成物、ニトロチロシン、ニトロチロール、８−ヒドロキシ−デオキシグアノシン、Ｍ１ｄＧ、リボース環の酸化誘導体、セレン、ＧＳＨ、ＧＳＳＧ、ＧＳＨ／ＧＳＳＧ比、尿酸、グルタチオン・ペルオキシダーゼ、活性酸素分解酵素、アスコルビン酸、およびそれらの組み合わせから成る群から選択される生物指標化合物を定量化する少なくとも１つの試験を含む、請求項３に記載の尿検査装置。
【請求項６】
前記試験片を読み取るための装置をさらに備える、請求項１に記載の尿検査装置。
【請求項７】
前記試験片を読み取るための前記装置は、複数のＬＥＤおよび光センサである、請求項６に記載の尿検査装置。
【請求項８】
前記装置本体はプラスチック担持体としてさらに定められる、請求項１に記載の尿検査装置。
【請求項９】
前記ポートは、マイク／ヘッドフォン出力、およびデータ／充電ポートから成る群から選択される部位において、前記携帯型コンピュータ装置に電子的および物理的に連結するためのハードウェアを備える、請求項１に記載の尿検査装置。
【請求項１０】
前記ポートは、ＵＳＢコネクタ、マイクロＵＳＢコネクタ、３０ピンコネクタ、ＩＥＥＥ−１３９４コネクタ、ＰＣＩエクスプレスとディスプレイポートとを１つの直列信号へと組み合わせ、直流電力を提供するコネクタ、８ピンコネクタ、およびそれらの組み合わせから成る群から選択されるハードウェアによって、前記携帯型コンピュータ装置に接続する、請求項１に記載の尿検査装置。
【請求項１１】
スマートフォン、タブレット、携帯ｍｐ３プレイヤー、およびスマートウォッチから成る群から選択される、前記ポートに連結される携帯型コンピュータ装置をさらに備える、請求項１に記載の尿検査装置。
【請求項１２】
前記試験片は、白血球、窒素、ウロビリン、タンパク質、ｐＨ、血液、比重、ケトン、ビリルビン、およびグルコースのための試験を含む、請求項１に記載の尿検査装置。
【請求項１３】
携帯型コンピュータ装置で尿検査装置を使用する方法であって、
尿サンプルを前記尿検査装置で取るステップと、
ポートを通じて前記携帯型コンピュータ装置に前記尿検査装置を電子的に連結するステップと、
生データを前記尿検査装置内の試験片から得るステップと、
前記生データを前記携帯型コンピュータ装置へと送るステップと、
前記生データを分析するステップと
を含む方法。
【請求項１４】
前記取るステップの後、試験片を前記尿検査装置のプラスチック担持体へと挿入するステップをさらに含む、請求項１３に記載の方法。
【請求項１５】
前記電子的に連結するステップは、前記携帯型コンピュータ装置から前記尿検査装置へと電力を引き込むステップをさらに含む、請求項１３に記載の方法。
【請求項１６】
前記尿検査装置においてＬＥＤおよび光センサを動作させるステップをさらに含む、請求項１５に記載の方法。
【請求項１７】
生の反射率の値およびＲＧＢＷの値から成る群から選択されるデータをアプリケーションへと送信するステップをさらに含む、請求項１６に記載の方法。
【請求項１８】
前記分析するステップは、前記生データを前記携帯型コンピュータ装置においてアプリケーションで分析することとしてさらに定められる、請求項１３に記載の方法。
【請求項１９】
前記試験片は、炎症監視試験、酸化ストレス監視試験、抗酸化活性監視試験、およびそれらの組み合わせから成る群から選択される少なくとも１つの試験を含む少なくとも１つの試験パッド部を備える、請求項１３に記載の方法。
【請求項２０】
前記試験片は、ＴＮＦ−α、ＩＬ−６、ＩＬ−８、オステオポンチン、オロソムコイド、アルブミン、α１−ミクログロブリン、ＰＧＥ２、ＰＧＦ２α、酸化窒素、硝酸塩および酸化窒素（ＮＯｘ）に由来する硝酸塩、ヒスタミン、尿タンパク質、タンパク質カルボニル、チオバルビツール酸反応性物質（ＴＢＡＲＳ）、マロンアルデヒド、４−ヒドロキシノネナール、脂質ヒドロペルオキシド、イソタンパク質、リノール酸酸化生成物、ニトロチロシン、ニトロチロール、８−ヒドロキシ−デオキシグアノシン、Ｍ１ｄＧ、リボース環の酸化誘導体、セレン、ＧＳＨ、ＧＳＳＧ、ＧＳＨ／ＧＳＳＧ比、尿酸、グルタチオン・ペルオキシダーゼ、活性酸素分解酵素、アスコルビン酸、およびそれらの組み合わせから成る群から選択される生物指標化合物を定量化する少なくとも１つの試験を含む、請求項１３に記載の方法。
【請求項２１】
非一時的なコンピュータ読取可能媒体における尿検査装置と使用するためのアプリケーションであって、
電力を認識して前記尿検査装置へと提供するための電力提供機構と、
生データを前記尿検査装置から受け取るためのデータ受取機構と、
前記尿検査装置からの生データを結果へと変換および修正するためのデータ修正機構と、
前記アプリケーションに常駐する報告フォームに結果を追加するための報告機構と
を備えるアプリケーション。
【請求項２２】
前記アプリケーションにおいて結果を表示するための表示機構をさらに備える、請求項２１に記載のアプリケーション。
【請求項２３】
健康アプリケーション、医療記録データベース、装置、ネットワーク、およびウェブサイトから成る群から選択される外部の場所へと直接的に前記結果を移植するための移植機構をさらに備える、請求項２１に記載のアプリケーション。
【請求項２４】
非一時的なコンピュータ読取可能媒体におけるアプリケーションで尿検査装置を使用する方法であって、
電力を認識して前記尿検査装置へと提供するステップと、
生データを前記尿検査装置から受け取るステップと、
前記尿検査装置からの生データを結果へと変換および修正するステップと、
前記アプリケーションに常駐する報告フォームに結果を追加するステップと
を含む方法。
【請求項２５】
前記アプリケーションにおいて結果を表示するステップをさらに含む、請求項２４に記載の方法。
【請求項２６】
健康アプリケーション、医療記録データベース、装置、ネットワーク、およびウェブサイトから成る群から選択される外部の場所へと直接的に前記結果を移植するステップをさらに含む、請求項２４に記載の方法。
【請求項２７】
結果に関する警告を提供するステップをさらに含む、請求項２４に記載の方法。
【発明の詳細な説明】
【技術分野】
【０００１】
[0001]本発明は、尿および他の流体を集めるための装置に関し、詳細には、スマートフォンおよび他の携帯型コンピュータ装置に連結する装置に関する。
【背景技術】
【０００２】
[0002]尿および他の体液が、分析のために、医療診断、および、健康監視の目的のために、しばしば集められる。多くの種類の分析において、集められた流体のサンプルが、試験片に適用される。流体は、試験片に存在するか、または、後の時点で導入されるかのいずれである分析用試薬と反応する。
【０００３】
[0003]サンプルを取るために尿の流れに直接的に置くことができる携帯型装置が、開発されている。例えば、ＣＮ１０２５２０１４５は、携帯型ペン本体とペンキャップとを備える携帯型尿検出装置を開示しており、その携帯型尿検出装置では、ペンキャップが、携帯型ペン本体の前端または後端において取り外し可能に接続されて固定され、尿吸収ブロックと一片の尿検出試験片とが携帯型ペン本体に配置され、尿吸収ブロックは、携帯型ペン本体の前端から延び出し、支持フレームが携帯型ペン本体の側面に配置され、携帯型ペン本体の後端は、支持フレームの側面に向けて曲げられる。使用者は、携帯型装置を使用するとき、携帯型装置における携帯型ペン本体の曲げられた後端を保持でき、尿を取るために、尿を携帯型ペン本体の尿吸収ブロックへと注ぐことができる。概してこれらの装置では、分析のために、尿サンプルを伴う試験片が、コンピュータに接続されるか、または、コンピュータに含まれる別体の読取装置に置かれる。
【０００４】
[0004]持ち運び性および分析機能を、特にはスマートフォンおよび他の携帯型コンピュータ装置の普及によって、携帯型の尿装置にさらに加えることは、有利である。
【発明の概要】
【課題を解決するための手段】
【０００５】
[0005]本発明は、携帯型コンピュータ装置との電子通信のためのポートを有する装置本体を備え、尿へ挿入してサンプルを回収するための試験片を保持する尿検査装置を提供する。
【０００６】
[0006]本発明は、尿サンプルを尿検査装置で取り、ポートを通じて携帯型コンピュータ装置に尿検査装置を電子的に連結し、生データを尿検査装置内の試験片から得て、生データを携帯型コンピュータ装置へと送り、さらに生データを分析することで、携帯型コンピュータ装置で尿検査装置を使用する方法も提供する。
【０００７】
[0007]本発明は、電力を認識して尿検査装置へと提供するための電力提供機構と、生データを尿検査装置から受け取るためのデータ受取機構と、尿検査装置からの生データを結果へと変換および修正するためのデータ修正機構と、アプリケーションに常駐する報告フォームに結果を追加するための報告機構とを備える、非一時的なコンピュータ読取可能媒体における尿検査装置と使用するためのアプリケーションを提供する。
【０００８】
[0008]本発明は、電力を認識して尿検査装置へと提供するステップと、生データを尿検査装置から受け取るステップと、尿検査装置からの生データを結果へと変換／修正するステップと、アプリケーションに常駐する報告フォームに結果を追加するステップとを含む、非一時的なコンピュータ読取可能媒体におけるアプリケーションで尿検査装置を使用する方法を提供する。
【０００９】
[0009]本発明の他の利点は、添付の図面との関連で検討されるとき、以下の詳細な記載を参照することでより良く理解されることになるため、容易に理解される。
【図面の簡単な説明】
【００１０】
【図１】[00010]スマートフォンに連結された尿検査装置の上からの斜視図である。
【図２】[00011]スマートフォンに連結された尿検査装置の上面図である。
【図３】[00012]スマートフォンに連結された尿検査装置の側面図である。
【図４】[00013]スマートフォンに連結された尿検査装置の拡大図である。
【図５】[00014]スマートフォンに連結された尿検査装置の前からの斜視図である。
【図６】[00015]スマートフォンに連結された尿検査装置の下からの斜視図である。
【図７】[00016]スマートフォンに連結された尿検査装置の上からの斜視図である。
【図８】[00017]本発明のアプリケーション内の処理のフローチャートである。
【図９】[00018]尿検査装置から引き抜かれた試験片の写真である。
【図１０】[00019]スマートフォンに連結された尿検査装置の上からの視点での写真である。
【図１１】[00020]アプリケーションと尿検査装置との間での情報の流れの概略図である。
【発明を実施するための形態】
【００１１】
[00021]本発明は、大まかには、携帯型コンピュータ装置１４との電子通信のためのポート１２を有する装置本体１１を備える、図１〜図７および図９〜図１０において符号１０で示されている尿検査装置を提供している。
【００１２】
[00022]本明細書で用いられている「アプリケーション」は、携帯型またはモバイルのコンピュータ装置のオペレーティングシステムにおいて実行するように設計されたソフトウェアプログラムを指している。
【００１３】
[00023]尿検査装置１０は、様々な試験のためのサンプルを取るために、尿の流れへと挿入される試験片２０（図１０において保持器１６に収容されて示されている）を備える任意の適切な携帯型尿検査装置または健康パネルであり得る。好ましくは、尿検査装置１０は、装置本体１１において試験片を読み取ることができる複数のＬＥＤおよび光センサなど（好ましくは、１０個のＬＥＤおよび１０個の光センサ）（図示せず）、試験片２０を読み取ることができる機構を備える。好ましくは、装置本体１１はプラスチック担持体１８である。尿検査装置は、代替で、プラスチック担持体１８へと置かれるＤＩＡＳＣＲＥＥＮ（登録商標）１０（Ａｒｋｒａｙ、標準的な尿検査片）を読み取ることができる。プラスチック担持体１８は、試験片２０を読み取るために、光源およびセンサまたはセンサ配列の任意の適切な組み合わせを有し得る。プラスチック担持体１８は、好ましくは同じくプラスチックから作られた保持器１６をしっかりと受け入れるために、任意の適切な構成で成形される。
【００１４】
[00024]試験片２０は、尿検査装置１０によって分析される１つまたは複数の個別の試験パッド部を含んでもよく、限定されることはないが、ヒトおよび／または動物のための炎症監視試験、酸化ストレス監視試験、および抗酸化活性監視試験、ならびにそれらの組み合わせなど、（少なくとも１つの）試験を含み得る。これらの試験によって定量化される生物指標化合物には、限定されることはないが、ＴＮＦ−α、ＩＬ−６、ＩＬ−８、オステオポンチン、オロソムコイド、アルブミン、α１−ミクログロブリン、ＰＧＥ２、ＰＧＦ２α、酸化窒素、硝酸塩および酸化窒素（ＮＯｘ）に由来する硝酸塩、ヒスタミン、尿タンパク質、タンパク質カルボニル、チオバルビツール酸反応性物質（ＴＢＡＲＳ：ｔｈｉｏｂａｒｂｉｔｕｒｉｃ  ａｃｉｄ  ｒｅａｃｔｉｖｅ  ｓｕｂｓｔａｎｃｅｓ）、マロンアルデヒド、４−ヒドロキシノネナール、脂質ヒドロペルオキシド、イソタンパク質、リノール酸酸化生成物、ニトロチロシン、ニトロチロール、８−ヒドロキシ−デオキシグアノシン、Ｍ１ｄＧ、リボース環の酸化誘導体、セレン、ＧＳＨ、ＧＳＳＧ、ＧＳＨ／ＧＳＳＧ比、尿酸、グルタチオン・ペルオキシダーゼ、活性酸素分解酵素、アスコルビン酸、およびそれらの組み合わせがあり得る。試験片２０は、限定されることはないが、最小のクロストークのために過剰な流体を吸収するためのブロッティング能力を持つ疎水性の基材の試験片など、技術的に知られている材料から作られ得る。
【００１５】
[00025]ポート１２は、図２において最良に見て取れ、携帯型コンピュータ装置１４における任意の適切な部位において、携帯型コンピュータ装置１４に連結することを許容する任意の適切な電子ポートであり得る。例えば、ポート１２は、携帯型コンピュータ装置１４におけるマイク／ヘッドフォン出力２０に電子的および物理的に連結するために、必要なハードウェアを備え得る。ポート１２は、代替で、携帯型コンピュータ装置１４におけるデータ／充電ポート（図示せず）に電子的および物理的に連結するために、必要なハードウェアを備え得る。様々なコネクタまたはハードウェアインターフェースが、連結、電力提供、およびデータ転送のために備えられてよく、限定されることはないが、ＵＳＢコネクタ（標準的なＵＳＢおよびＵＳＢ−Ｃを含む）、マイクロＵＳＢコネクタ、３０ピンコネクタ、ＦＩＲＥＷＩＲＥ（登録商標）（Ａｐｐｌｅ）（ＩＥＥＥ−１３９４）コネクタ、ＴＨＵＮＤＥＲＢＯＬＴ（登録商標）（Ｉｎｔｅｌ）コネクタ（つまり、ＰＣＩエクスプレスとディスプレイポートとを１つの直列信号へと組み合わせ、直流電力を提供するコネクタ）、ＬＩＧＨＴＮＩＮＧ（登録商標）（Ａｐｐｌｅ）（８ピン）コネクタ、およびそれらの組み合わせなどがある。様々なマイク／ヘッドフォン出力２０およびデータ／充電ポートが、異なる携帯型コンピュータ装置１４において異なる場所に配置されてもよいことは、理解されるべきである。
【００１６】
[00026]携帯型コンピュータ装置１４は、任意の適切なスマートフォン（限定されることはないが、ＩＰＨＯＮＥ（登録商標）（Ａｐｐｌｅ）など）、タブレット（限定されることはないが、ＩＰＡＤ（登録商標）（Ａｐｐｌｅ）、またはＭｉｃｒｏｓｏｆｔ  ＳＵＲＦＡＣＥ（登録商標）タブレットなど）、または、アプリケーションの使用を可能にし、尿検査装置１０からの読み取りを表示するためにグラフィカルインターフェースを提供する携帯型またはモバイルの装置（限定されることはないが、携帯ｍｐ３プレイヤーおよびスマートウォッチなど）であり得る。
【００１７】
[00027]使用中、尿サンプルが尿検査装置１０で取られる（必要な場合、任意の試験片１６または保持器２２がプラスチック担持体１８へと挿入される）。尿検査装置１０は、ポート１２を通じて携帯型コンピュータ装置１４に電子的に連結され、生データは、尿検査装置１０内の試験片１６から得られ、生データは、携帯型コンピュータ装置１４へと送られ、好ましくは携帯型コンピュータ装置１４におけるアプリケーションで、さらに分析される。
【００１８】
[00028]ひとたび電子的に連結されると、尿検査装置１０のためのすべての電力が、携帯型コンピュータ装置１４から、マイク／ヘッドフォン出力２０またはデータ／充電ポートのいずれかにおいてポート１２を通じて引き込まれる。このように導出された電力は、尿検査装置１０におけるＬＥＤおよび光センサを駆動および動作させ、尿検査装置１０は、試験片１６における尿サンプルを分析するために、生の反射率の値またはＲＧＢＷの値をタンデムアプリケーションへと送信する。尿内の多くの異なる物質は、任意の適切な試験で分析され得る。尿検査装置１０自体は、任意の必要な内部処理、電力管理、もしくはデータ出力能力を有し得る、または代替で、尿検査装置１０自体は、それらを行うために、尿検査装置１０にインストールされたタンデムアプリケーションに依存し得る。
【００１９】
[00029]尿検査装置１０は、携帯型コンピュータ装置１４内のコンピュータ読取可能媒体（つまり、フラッシュメモリドライブ、ＲＡＭ、ＲＯＭなどの任意の非一時的なコンピュータ読取可能媒体またはハードウェア）に、限定されることはないが、以下のものを含み、図８および図１１に示された具体的な特徴、能力、および命令と共に格納されたアプリケーション１０１と連携して動作する。アプリケーションとアプリケーションの物理的な構成要素との使用の方法は、次の通りである。アプリケーションは、ポート１２が電力提供機構１１２で携帯型コンピュータ装置１４と電子的に連結されたとき、電力を認識して尿検査装置１０へと提供する（１００）。アプリケーションは、データ受取機構１１４でＬＥＤおよび光センサから得られた生データを、尿検査装置１０から受け取り（１０２）、その後、尿検査装置１０からのこの生データを、データ変換機構１１６で、有用な情報の結果およびデータへと変換および／または修正する（１０４）。次に、結果／データは、報告機構１１８によって、アプリケーション自体に常駐する報告フォームに追加される（１０６）。そのため、尿サンプルの結果は、望まれる場合には、表示機構１２０によってアプリケーションにおける表示装置で直接的に読み取り／見ることができる（１０８）。
【００２０】
[00030]しかしながら、アプリケーションは、任意選択で、別の健康アプリケーションなど（限定されることはないが、ポートおよび承認を作成するためにＡｐｐｌｅの開発者キットを用いる、承認によるＡｐｐｌｅの「ＨｅａｌｔｈＴｒａｃｋｒ（登録商標）」アプリケーションなど）、外部の場所１０３へと直接的に任意の結果を移植することもでき、また、データを受け取ることができる任意の他の適切な健康監視アプリケーション、または、任意の他の医療記録データベース、装置、ネットワーク、もしくは暗号化されたファイルにおけるウェブサイトに、移植機構１２２で結果を移植することもできる。そのため、アプリケーションの使用者は、尿検査結果を得て、他のアプリケーションまたはソースによって集められた任意の他の健康データの脈絡でその尿検査結果を見ることができる。したがって、アプリケーションは別の健康アプリケーション、医療記録データベース、装置、ネットワーク、またはウェブサイトと電子通信していることができる。
【００２１】
[00031]警告（音、光）が、結果が準備できたこと、または、任意の値が高いもしくは不健康であると（基準値に基づいて）判定されたことを使用者に通知するために、アプリケーション内で作り出されてもよい。結果は、インターネットまたはアプリケーションからの無線信号を介して、医療専門家のコンピュータプラットフォームへと送られてもよい。
【００２２】
[00032]最も好ましくは、アプリケーションは、Ａｐｐｌｅアプリケーションストアから入手可能とされ、（人々が尿検査装置１０を共有するのを防止するために）尿検査装置１０のシリアル番号に加えてキー番号を入力することで携帯型コンピュータ装置１４に無料でダウンロードされる。
【００２３】
[00033]尿検査装置１０は、他の尿試験を実施するために、同じプラットフォームを、つまり、カートリッジの形態の多パッド尿片および尿検査装置１０を、すなわち、限定されることはないが、ヒトの試験のための白血球、窒素、ウロビリン、タンパク質、ｐＨ、血液、比重、ケトン、ビリルビン、およびグルコース、ならびに他の生物指標化合物を含む標準的な尿片（「１０種」と称する）を使用するために設計された他のソフトウェアアプリケーションを加えることで、即時に再プログラムおよび再目的化されてもよい。
【００２４】
[00034]尿検査装置１０は、タブレット、ラップトップ、スマートウォッチ、ウェアラブルコンピュータなどを含む他のスマートデバイスへと移植され得る、運動競技および軍隊のトレーニングの目的のために具体的に尿検査装置１０に向けて開発された多部位／多試薬試験片１６で、脂肪代謝、筋肉効率、血糖異常調節、および代謝効率のために、ヒトを試験することもできる。
【００２５】
[00035]尿検査装置１０は、遠隔治療システムのための周辺機器として使用されてもよい。尿検査装置１０は、病気（つまり、血圧計カフ、心拍数モニタ、ＥＫＧなど）を単に測定する古い装置または現在の存在する装置に、ここでは健康を判定させることができる。
【００２６】
[00036]尿検査装置１０が、尿試験の結果を得るために素早く簡単な方法（任意の設定においてわずか数分間内）を提供し、アプリケーションが、結果を見ることと、他の健康測定で結果を集めることとを容易にするため、有利である。尿検査装置１０における非侵襲性試験は、実験室に基づく試験のコストのうちの僅かで実施でき、結果は、アプリケーションの使用を通じて、患者および健康管理専門家に容易に届くことができる。
【００２７】
[00037]この出願を通じて、米国特許を含む様々な出版物が著者によって参照され、イヤー・アンド・パテントが番号によって参照されている。出版物についての完全な引用は、以下に列記されている。これらの出版物および特許の全体における開示は、本発明が関連する最新の技術をより完全に記載するために、本明細書によって、本出願へと参照により組み込まれている。
【００２８】
[00038]本発明は例示的な手法で記載されており、使用されてきた専門用語は、限定の性質においてではなく、記載の言葉の性質においてであるように意図されていることは、理解されるものである。
【００２９】
[00039]明らかなのは、本発明の多くの改良および変形が、上記の教示を考慮して可能である。そのため、添付の請求項の範囲内で、本発明は、明確に記載されていること以外で実施され得ることは、理解されるものである。
【図１】
2018512587.tif 000003
【図２】
2018512587.tif 000004
【図３】
2018512587.tif 000005
【図４】
2018512587.tif 000006
【図５】
2018512587.tif 000007
【図６】
2018512587.tif 000008
【図７】
2018512587.tif 000009
【図８】
2018512587.tif 000010
【図９】
2018512587.tif 000011
【図１０】
2018512587.tif 000012
【図１１】
2018512587.tif 000013
【国際調査報告】
2018512587.tif 000014